(57)【特許請求の範囲】
【請求項１】
一端側が第１の接続対象物と着脱自在に接続可能に形成されるとともに、他端側がフレキシブルプリント基板またはフレキシブルフラットケーブルからなる第２の接続対象物と接続可能に形成された複数の端子と、各端子を保持するコネクタ本体とを備えたコネクタにおいて、
前記第２の接続対象物と着脱自在に嵌合する嵌合部を、コネクタ本体と各端子の他端側との間に設け、
各端子の他端側を、嵌合部に挿入された第２の接続対象物の一端面に接触しながら弾性変形して、第２の接続対象物をコネクタ本体側に押圧するように形成し、
嵌合部に挿入される第２の接続対象物に接触して第２の接続対象物を弾性変形させるとともに、第２の接続対象物に設けられた導電部が各端子の他端側に接触する位置まで第２の接続対象物が挿入されると、第２の接続対象物に設けられた切欠部に係合することにより第２の接続対象物を復元させて、第２の接続対象物を反嵌合方向に係止する係止部を設けた
ことを特徴とするコネクタ。
【請求項２】
前記第２の接続対象物の導電部が各端子の他端側に接触する位置まで挿入されると、第２の接続対象物に設けられた凹部に係合することにより、挿入方向と直交する方向への第２の接続対象物の移動を規制する規制部を設けた
ことを特徴とする請求項１記載のコネクタ。
【発明の詳細な説明】
【技術分野】
【０００１】
本発明は、携帯電話やデジタルカメラ等の機器に設けられたフレキシブルプリント基板（ＦＰＣ）またはフレキシブルフラットケーブル（ＦＦＣ）と、バッテリー等とを電気的に接続するためのコネクタに関するものである。
【背景技術】
【０００２】
従来、この種のコネクタとして、一端側が、相手方コネクタからなる第１の接続対象物と着脱自在に接続可能に形成され、他端側が、フレキシブルプリント基板またはフレキシブルフラットケーブルからなる第２の接続対象物と接続可能に形成された複数の端子と、各端子を保持するコネクタ本体とを備えたものが知られている（例えば特許文献１参照）。
【特許文献１】特開平９−２３７６６０号公報
【発明の開示】
【発明が解決しようとする課題】
【０００３】
しかしながら、前記従来例では、各端子の他端側が半田付けによって第２の接続対象物に取付けられているので、コネクタを第２の接続対象物に取付ける際に微細な半田付け処理を行う必要があることから、第２の接続対象物に対するコネクタの取付け作業が煩雑になるという問題点があった。
【０００４】
本発明は前記問題点に鑑みてなされたものであり、その目的とするところは、フレキシブルプリント基板またはフレキシブルフラットケーブルからなる接続対象物に容易に取付けることの可能なコネクタを提供することにある。
【課題を解決するための手段】
【０００５】
本発明は、前記目的を達成するために、一端側が第１の接続対象物と着脱自在に接続可能に形成されるとともに、他端側がフレキシブルプリント基板またはフレキシブルフラットケーブルからなる第２の接続対象物と接続可能に形成された複数の端子と、各端子を保持するコネクタ本体とを備えたコネクタにおいて、前記第２の接続対象物と着脱自在に嵌合する嵌合部を、コネクタ本体と各端子の他端側との間に設け、各端子の他端側を、嵌合部に挿入された第２の接続対象物の一端面に接触しながら弾性変形して、第２の接続対象物をコネクタ本体側に押圧するように形成し、嵌合部に挿入される第２の接続対象物に接触して第２の接続対象物を弾性変形させるとともに、第２の接続対象物に設けられた導電部が各端子の他端側に接触する位置まで第２の接続対象物が挿入されると、第２の接続対象物に設けられた切欠部に係合することにより第２の接続対象物を復元させて、第２の接続対象物を反嵌合方向に係止する係止部を設けている。
【０００６】
これにより、フレキシブルプリント基板またはフレキシブルフラットケーブルからなる第２の接続対象物が嵌合部に嵌合されると、第２の接続対象物と各端子の他端側とが電気的に接続されることから、第２の接続対象物を嵌合部に嵌合させるという簡単な操作で第２の接続対象物と各端子とを電気的に接続することが可能になる。
【発明の効果】
【０００７】
本発明によれば、第２の接続対象物を嵌合部に嵌合させるという簡単な操作で第２の接続対象物と各端子とを電気的に接続することができるので、コネクタを第２の接続対象物に取付ける際に半田付け処理を行う必要がなくなることから、第２の接続対象物に対する取付け作業を容易に行うことができる。
【発明を実施するための最良の形態】
【０００８】
図１乃至図１４は本発明の一実施形態を示すもので、図１はコネクタの前面側斜視図、図２はコネクタの背面側斜視図、図３はコネクタの正面図、図４はコネクタの右側面図、図５はコネクタのＡ−Ａ断面図、図６はコネクタの背面図、図７はコネクタのＢ−Ｂ断面図、図８はコネクタの平面図、図９はコネクタの底面図、図１０はＦＰＣ挿入時の状態を示すコネクタの正面図、図１１はＦＰＣ挿入時の状態を示すコネクタのＣ−Ｃ断面図、図１２はＦＰＣ嵌合時の状態を示すコネクタの正面図、図１３はＦＰＣ嵌合時の状態を示すコネクタのＤ−Ｄ断面図、図１４はＦＰＣ嵌合時の状態を示すコネクタのＥ−Ｅ断面図である。
【０００９】
このコネクタは、携帯電話やデジタルカメラ等の機器に備えられており、第１の接続対象物としてのバッテリー１と、第２の接続対象物としてのフレキシブルプリント基板（ＦＰＣ）２とを電気的に接続するためのものである。また、コネクタは、コネクタ本体１０と複数の端子２０とから構成されており、各端子２０の一端側がバッテリー１に設けられた複数の接続端子１ａと着脱自在に接続し、各端子２０の他端側がＦＰＣ２に設けられた複数の導電部２ａにそれぞれ接触することにより、バッテリー１とＦＰＣ２とを電気的に接続するようになっている。
【００１０】
ＦＰＣ２は、その先端側が幅方向（図中Ｘ方向）に延びる板状に形成されており、先端側の背面には、図１４に示すように、各導電部２ａが互いに幅方向に間隔をおいて設けられている。また、ＦＰＣ２の先端側の上面部には切欠部２ｂが設けられており、切欠部２ｂの下方には、一対の凹部２ｃが幅方向に間隔をおいて設けられている。なお、本実施形態では、ＦＰＣ２を第２の接続対象物として用いているが、上記と同様の構成を有するフレキシブルフラットケーブル（ＦＦＣ）を第２の接続対象物として用いてもよい。
【００１１】
コネクタ本体１０は合成樹脂の成形品からなり、前面部１１、背面部１２、上面部１３、底面部１４及び左右両側面部１５から構成されている。前面部１１には、各端子２０を保持するための第１、第２及び第３の端子保持孔１１ａ，１１ｂ，１１ｃが幅方向一列に設けられており、各端子保持孔１１ａ，１１ｂ，１１ｃは、底面部１４を介して背面部１２に亘るように形成されている。また、第２の端子保持孔１１ｂの幅方向両端の上面部１３側には、コネクタ本体１０と一体に形成された一対の係止部１６が後方（図中Ｙ方向）に向かって突設されており、各係止部１６は、ＦＰＣ２の切欠部２ｂと係合することによりＦＰＣ２を上方（図中Ｚ方向）に係止するようになっている。
【００１２】
さらに、各係止部１６の下方には、上方に開口した嵌合部１７が幅方向に亘って設けられており、嵌合部１７は、ＦＰＣ２の下端側と着脱自在に嵌合可能に形成されている。また、嵌合部１７には、図７に示すように、ＦＰＣ２の各凹部２ｃに下方から係合可能に形成された一対の規制部１８が、各係止部１６の下方に位置するように設けられており、各規制部１８は、ＦＰＣ２の各凹部２ｃに係合すると、ＦＰＣ２の挿入方向（下方）と直交する方向、即ち幅方向へのＦＰＣ２の移動を規制するようになっている。
【００１３】
各端子２０は弾性変形可能な導電性の金属板からなり、図５に示すように、前後両端側がそれぞれ上方に延びるように略Ｕ字状に屈曲した第１の屈曲部２１を有するとともに、端子２０の一端側即ち第１の屈曲部２１の前端側には、上方に向かって延びる第１の真直部２２が設けられている。また、第１の真直部２２の上端には、下方に屈曲する第２の屈曲部２３が設けられ、第２の屈曲部２３の下端には、前方斜め下方に延びる第２の真直部２４が設けられている。さらに、第２の真直部２４の下端には、上方に屈曲する第３の屈曲部２５が設けられており、第３の屈曲部２５には、一部が前方に突出するように屈曲した第１の接触部２６が設けられている。ここで、各端子２０の一端側は、第２の屈曲部２３及び第３の屈曲部２５を基点として前後方向に弾性変形するようになっている。また、端子２０の他端側即ち第１の屈曲部２１の後端側には、一部が前方に突出するように屈曲した第２の接触部２７が設けられており、第２の接触部２７は、ＦＰＣ２の導電部２ａと接触可能に形成されている。なお、各端子２０の他端側は、第１の屈曲部２１を基点として前後方向に弾性変形するようになっている。
【００１４】
以上のように構成されたコネクタ１０において、各端子２０をコネクタ本体１０の各端子保持孔１１ａ，１１ｂ，１１ｃにそれぞれ嵌入することにより、各端子２０がコネクタ本体１０に保持される。このとき、図５に示すように、各端子２０の第１の接触部２６が前面部１１の前方に突出し、第２の接触部２７が背面部１２から嵌合部１７内に突出する。
【００１５】
次に、ＦＰＣ２をコネクタ本体１０に取付ける場合の動作について、図１０乃至図１４を参照して説明する。まず、図１０及び図１１に示すように、ＦＰＣ２をコネクタ本体１０の上方から嵌合部１７に挿入すると、ＦＰＣ２は、その先端側の前面が各係止部１６に接触することにより弾性変形しながら嵌合部１７に挿入される。また、各端子２０の第２の接触部２７は、嵌合部１７に挿入されたＦＰＣ２の背面側に接触しながら後方に弾性変形する。
【００１６】
そして、ＦＰＣ２が嵌合部の所定位置まで挿入されると、ＦＰＣ２の切欠部２ｂが各係止部１６に係合してＦＰＣ２の弾性変形が復元することにより、ＦＰＣ２の反嵌合方向即ち上方への移動が各係止部１６によって規制される。また、各端子２０の第２の接触部２７は、ＦＰＣ２の各導電部２ａに接触するとともに、弾性変形からの復元力によりＦＰＣ２を前方即ちコネクタ本体１０の前面部１１側に押圧する。これにより、ＦＰＣ２の各導電部２ａと各端子２０との接続信頼性を向上させることができる。また、ＦＰＣ２が嵌合部の所定位置まで挿入されると、図１４に示すように、ＦＰＣ２の各凹部２ｃが各規制部１８に係合することにより、ＦＰＣ２の幅方向への移動が各規制部１８によって規制される。
【００１７】
また、各端子２０の第１の接触部２６は、図１３に示すように、バッテリー１の各接続端子１ａに接触する。この場合、各端子２０の一端側が、第２の屈曲部２３及び第３の屈曲部２５を基点として後方に弾性変形しており、第１の接触部２６は、弾性変形からの復元力により各接続端子１ａを押圧しながら接触している。これにより、バッテリー１の各接続端子１ａと各端子２０との接続信頼性を向上させることができる。
【００１８】
このように、本実施形態のコネクタによれば、ＦＰＣ２と着脱自在に嵌合する嵌合部１７を設け、各端子２０の他端側（第２の接触部２７）を、嵌合部１７に嵌合されたＦＰＣ２の背面に接触するように形成したので、ＦＰＣ２を嵌合部１７に嵌合させるという簡単な操作でＦＰＣ２と各端子２０とを電気的に接続することができる。従って、コネクタをＦＰＣ２に取付ける際に半田付け処理を行う必要がなくなることから、ＦＰＣ２に対する取付け作業を容易に行うことができる。
【００１９】
また、嵌合部１７をコネクタ本体１０と各端子２０の他端側（第２の接触部２７）との間に設け、各端子２０の他端側を、嵌合部１７に挿入されたＦＰＣ２の背面に接触しながら弾性変形して、ＦＰＣ２をコネクタ本体１０側に押圧するように形成したので、第２の接触部２７を、弾性変形からの復元力によってＦＰＣ２の各導電部２ａに接触させることができ、ＦＰＣ２の各導電部２ａと各端子２０との接続信頼性を向上させることができる。
【００２０】
さらに、嵌合部１７に挿入されるＦＰＣ２に接触してＦＰＣ２を弾性変形させるとともに、ＦＰＣ２が嵌合部１７の所定位置まで挿入されると、ＦＰＣ２の切欠部２ｂに係合することによりＦＰＣ２を復元させて、ＦＰＣ２を反挿入方向（上方）に係止する一対の係止部１６を設けたので、ＦＰＣ２の反挿入方向への位置ずれを確実に防止することができ、接続信頼性をより向上させることができる。
【００２１】
さらにまた、嵌合部１７に挿入されたＦＰＣ２の挿入方向（下方）と直交する方向（幅方向）への移動を規制する一対の規制部１８を設けたので、ＦＰＣ２の幅方向への位置ずれを確実に防止して、接続信頼性をより向上させることができる。
【００２２】
なお、上記実施形態は本発明の具体例に過ぎず、本発明が上記実施形態のみに限定されることはない。例えば、上記実施形態では、バッテリー１を第１の接続対象物として用いたものを示したが、他のコネクタやケーブルを第１の接続対象物として用いてもよい。
【図面の簡単な説明】
【００２３】
【図１】本発明の一実施形態によるコネクタの前面側斜視図
【図２】コネクタの背面側斜視図
【図３】コネクタの正面図
【図４】コネクタの右側面図
【図５】コネクタのＡ−Ａ断面図
【図６】コネクタの背面図
【図７】コネクタのＢ−Ｂ断面図
【図８】コネクタの平面図
【図９】コネクタの底面図
【図１０】ＦＰＣ挿入時の状態を示すコネクタの正面図
【図１１】ＦＰＣ挿入時の状態を示すコネクタのＣ−Ｃ断面図
【図１２】ＦＰＣ嵌合時の状態を示すコネクタの正面図
【図１３】ＦＰＣ嵌合時の状態を示すコネクタのＤ−Ｄ断面図
【図１４】ＦＰＣ嵌合時の状態を示すコネクタのＥ−Ｅ断面図
【符号の説明】
【００２４】
１…バッテリー、２…フレキシブルプリント基板（ＦＰＣ）、２ｂ…切欠部、２ｃ…一対の凹部、１０…コネクタ本体、１６…一対の係止部、１７…嵌合部、１８…一対の規制部、２０…複数の端子、２６…第１の接触部、２７…第２の接触部。
【図１】
0004425965.tif 000002
【図２】
0004425965.tif 000003
【図３】
0004425965.tif 000004
【図４】
0004425965.tif 000005
【図５】
0004425965.tif 000006
【図６】
0004425965.tif 000007
【図７】
0004425965.tif 000008
【図８】
0004425965.tif 000009
【図９】
0004425965.tif 000010
【図１０】
0004425965.tif 000011
【図１１】
0004425965.tif 000012
【図１２】
0004425965.tif 000013
【図１３】
0004425965.tif 000014
【図１４】
0004425965.tif 000015